(57)【特許請求の範囲】
【請求項１】
着用時に外側となる外面および着用時に人体側となる内面を有する衣服であって、
通気性シートから構成される袋部と、
前記袋部内に収容され、かつ、前記衣服と人体との接触を防止すると共に前記衣服と人体との間に空気の流通路を形成する通気性部材と、
を備え、
前記通気性部材は、
前記通気性部材内に空気を流入させる流入開口部と、
前記流入開口部と連通し、前記流入開口部から流入した空気を人体に沿って流通させるための流通路を成す流通路開口部と、
前記流通路開口部と連通し、人体側に空気を流通させる人体側開口部と、
前記流通路開口部と連通し、前記通気性部材内の空気を流出させる流出開口部と、
を備え、
前記袋部は、前記衣服の内面に着脱可能に構成されている、
ことを特徴とする衣服。
【請求項２】
前記袋部には、前記通気性部材を出し入れするための開閉可能な開口部が設けられている、
ことを特徴とする請求項１に記載の衣服。
【発明の詳細な説明】
【技術分野】
【０００１】
本発明は、衣服に関する。
【背景技術】
【０００２】
夏などの気温や湿度が高い季節には、衣服内が汗などで蒸れて不快に感じることがある。この理由として、衣服内の空気の流通性が悪く、衣服内に湿った空気が滞留することが原因の一つと考えられる。さらに、夏などの気温や湿度が高い季節には、例えば肩や襟元などにおいて、汗で濡れた衣服と人体とが密着し、不快に感じることもある。
【発明の概要】
【発明が解決しようとする課題】
【０００３】
本発明の目的は、衣服と人体との間の空気の流通性を確保し、夏などの気温や湿度が高い季節であっても快適に過ごすことができる衣服を提供することを目的とする。
【課題を解決するための手段】
【０００４】
本発明の衣服は、外面および着用時に人体側となる内面を有する衣服であって、衣服内面に保持され、衣服と人体との接触を防止すると共に衣服と人体との間に空気の流通路を形成する通気性部材を備えていることを特徴としている。
【０００５】
上記特徴により、通気性部材によって衣服と人体との接触が防止されると共に衣服と人体との間に空気の流通路が形成されるため、衣服内の空気が流れやすくなる。その結果、湿った空気が衣服内に滞留してしまうことを防止し、衣服内の蒸れを解消することができる。
【０００６】
本発明の衣服において、通気性部材は、少なくとも人体側に対して開口する開口部を有していることが好ましい。
【０００７】
上記特徴により、通気性部材内を流通する空気が開口部を通って人体側に流れる。これにより、人体に気流が当たって人体を冷却することができると共に汗をすばやく乾かすことができる。
【０００８】
本発明の衣服において、通気性部材は、衣服内面に着脱可能に保持されていることが好ましい。
【０００９】
上記特徴により、通気性部材を必要に応じて着脱することができる。したがって、例えば衣服の洗濯時などに通気性部材を容易に取り外すことができる。また、通気性部材が破損したりあるいは汚れたりした場合には容易に交換をすることができる。
【００１０】
本発明の衣服において、通気性部材は、一端部が開口したポケット状に形成され衣服内面に保持されていることが好ましい。
【００１１】
上記特徴により、ポケット状に形成された通気性部材内に例えば冷却材などを収容することができる。
【００１２】
本発明の衣服において、ポケット状の通気性部材内には、冷却材が収容されることが好ましい。
【００１３】
上記特徴により、通気性部材内を流通する空気は冷却材によって冷却されるため、衣服内をその冷却された空気が流通することにより、人体をより冷却することができる。
【００１４】
本発明の衣服において、通気性部材は、衣服の端部から延出すると共に、当該衣服と一緒に人体に着用している別の衣服内に収容可能な延出部を備えていることが好ましい。
【００１５】
上記特徴により、衣服に保持された通気性部材内を流通する空気が別の衣服内にも流通し、それにより別の衣服内の蒸れも防止することができる。
【発明の効果】
【００１６】
本発明では、衣服と人体との間の空気の流通性を確保し、夏などの気温や湿度が高い季節であっても快適に過ごすことができる衣服を提供することができる。
【図面の簡単な説明】
【００１７】
【図１】（ａ）は上着の外面を表す概略図であり、（ｂ）は上着の内面を表す概略図であり、（ｃ）は上着から通気性部材を取り外した状態を表す概略図である。
【図２】（ａ）〜（ｃ）は通気性部材の一例であるスペーサを表す図であり、（ａ）はスペーサの平面図であり、（ｂ）はスペーサの正面図であり、（ｃ）は（ａ）のＩＩｃ部分拡大斜視図である。
【図３】スペーサが取り付けられた上着を、下着を着用した人体の上から着用した状態を表す概略断面図である。
【図４】（ａ）は通気性部材が通気性シートによって覆われた状態を表す概略図であり、（ｂ）は通気性シートによって形成された袋の表側を表す概略図であり、（ｃ）は通気性シートによって形成された袋の裏側を表す概略図である。
【図５】通気性部材によって形成されたポケットが上着の内面に取り付けられた状態を表す概略図である。
【図６】（ａ）通気性部材が上着の裾部からはみ出た状態を表す概略図であり、（ｂ）は通気性部材のはみ出た部分（延出部）をズボンの中に入れた状態を表す概略図である。
【図７】（ａ）は通気性部材によって形成されたポケットが上着の内面に取り付けられた状態を表す概略図であり、（ｂ）はポケットの両端部を上着から取り外し、通気性部材を下方へ折り返した状態を表す概略図である。
【図８】（ａ）〜（ｄ）は通気性部材の他例であるメッシュ部材を表す図であり、（ａ）はメッシュ部材の平面図、（ｂ）はメッシュ部材の正面図、（ｃ）は（ａ）のＶＩＩＩｃ−ＶＩＩＩｃ矢視断面図、（ｄ）は（ａ）のＶＩＩＩｄ部分拡大斜視図である。
【図９】（ａ）は上着の他実施形態の内面を表す概略図であり、（ｂ）はスペーサが取り付けられた上着を、下着を着用した人体の上から着用した状態を表す概略断面図である。
【図１０】衣服の他実施形態であるズボンの内面を表す概略図である。
【発明を実施するための形態】
【００１８】
本発明について図面を参照しながら説明する。なお、以下で説明する実施形態は、いずれも本発明の好ましい一具体例を示すものである。本発明は、以下の実施形態に限定されず、その主旨を逸脱しない範囲で適宜変更可能である。
【００１９】
以下では衣服として、上着を例に説明する。図１（ａ）は本発明の上着の外面（外側）を表す概略図であり、図１（ｂ）は上着の内面（内側）を表す概略図であり、図１（ｃ）は上着から通気性部材を取り外した状態を表す概略図である。
【００２０】
図１（ａ）および（ｂ）に示すように、上着１は、前身頃２、後身頃３、襟部４および袖部５を備えている。前身頃２、後身頃３、襟部４および袖部５は、外面と、着用時に人体側となる内面とをそれぞれ有している。後身頃３の内面の肩部３ａおよび襟元部３ｂには、通気性部材１０が着脱可能に保持されている。通気性部材１０としては、後述するスペーサ１０Ａ（図２参照）やメッシュ部材８０（図８参照）などが好適に使用できるが、これに限定されない。図１（ｃ）に示すように、肩部３ａおよび襟元部３ｂ並びに通気性部材１０には、通気性部材１０を肩部３ａおよび襟元部３ｂに着脱可能に保持するための保持部材２０が取り付けられている。本実施形態では、保持部材２０として、マジックテープ（登録商標）のような面ファスナーを使用している。しかし、保持部材２０は面ファスナーに限らず、スナップボタンやその他の部材であってもよい。通気性部材１０が上着１に対して着脱可能であることにより、例えば上着１の洗濯時に通気性部材１０を容易に取り外すことができる。また、通気性部材１０が破損したり汚れたりした場合には新しい通気性部材１０に容易に交換することができる。なお、通気性部材１０は肩部３ａおよび襟元部３ｂに着脱できないように保持されていてもよい。
【００２１】
肩部３ａおよび襟元部３ｂに通気性部材１０が保持されていることにより、上着１の着用時に上着１の肩部３ａおよび襟元部３ｂと人体との接触を防止することができる。また、後述する通り通気性部材１０は複数の開口部を有しているため、上着１の肩部３ａおよび襟元部３ｂと人体との間には空気の流通路が形成される。なお、本実施形態では、通気性部材１０が肩部３ａおよび襟元部３ｂに保持されている場合について説明しているが、通気性部材１０は肩部３ａおよび襟元部３ｂに保持されている場合に限らず、通気性部材１０が取り付けられていない上着１を着用した状態において、上着１と人体とが密着する位置に保持されていることが好ましい。
【００２２】
なお、本明細書において「人体」とは、裸体の状態だけでなく、下着などの別の衣服を着用している状態も含む。したがって、例えば「衣服と人体との接触を防止する」とは、衣服（上着１）と裸体とが接触することを防止するという場合に限らず、衣服（上着１）と当該衣服内に着用している別の衣服とが接触することを防止するという場合も含まれることがある。
【００２３】
図２（ａ）〜（ｃ）は通気性部材１０の一例であるスペーサ１０Ａを表す図である。図２（ａ）はスペーサ１０Ａの平面図、図２（ｂ）はスペーサ１０Ａの正面図、図２（ｃ）は（ａ）のＩＩｃ部分拡大斜視図である。図２に示すスペーサ１０Ａは、複数の通気性ピース１１を連結させることにより構成されている。通気性ピース１１は、壁部１２、壁部１２と所定間隔Ｌ１あけて設けられた枠体部１３、および、壁部１２と枠体部１３とを連結する複数の柱状部１４を備えている。複数の柱状部１４は互いに所定間隔あけて設けられている。通気性ピース１１の枠体部１３には開口部１５が形成されており、複数の柱状部１４間には開口部１５と連通する開口部１６が形成されている。そして、スペーサ１０Ａは、複数の通気性ピース１１を所定間隔あけて縦および横に複数配列すると共に、隣接する通気性ピース１１の枠体部１３間を連結部１７によって連結することにより構成されている。開口部１６は、複数の連結部１７および隣接する通気性ピース１１の枠体部１３によって囲まれる開口部１８、並びに、所定間隔あけて隣接して配置されている通気性ピース１１の柱状部１４間の空間１９と連通している。これらの開口部１５、開口部１６、開口部１８および空間１９は空気が流れる流通路を成している。なお、必要に応じて壁部１２にも開口部を設けるようにしてもよい。
【００２４】
壁部１２と枠体部１３との間隔Ｌ１、すなわちスペーサ１０Ａの厚みＬ１は、上着１と人体とが接触することを防止すると共にスペーサ１０Ａ内を空気が流通可能である程度の大きさであればよく、間隔Ｌ１は一例として約３ｍｍ〜約１５ｍｍである。
【００２５】
図３はスペーサ１０Ａが取り付けられた上着１を、下着Ｕを着用した人体Ｂの上から着用した状態を表す概略断面図である。図３では空気の流れを矢印で模式的に表している。保持部材２０は、壁部１２に取り付けられている。スペーサ１０Ａは、壁部１２の保持部材２０を肩部３ａおよび襟元部３ｂの保持部材２０に取り付けることにより上着１に装着される。すなわち、スペーサ１０Ａは、壁部１２が上着１側となり、枠体部１３が人体Ｂ側となるよう配置される。そして、開口部１５および開口部１８が人体側に開口する開口部となる。上着１内の空気は、通気性ピース１１の開口部１５、開口部１６、開口部１８および／または空間１９からスペーサ１０Ａ内に流入する。スペーサ１０Ａに流入した空気の一部は、開口部１５や開口部１８を通って人体Ｂ側に流れる。そしてスペーサ１０Ａ内の空気は、開口部１５、開口部１６、開口部１８および／または空間１９からスペーサ１０Ａ外へ排出される。上着１内に流入した空気の一部が人体Ｂに向けて流れることにより、人体Ｂを冷却すると共に汗をすばやく乾かすことができる。なお、枠体部１３に保持部材２０を取り付け、壁部１２が人体Ｂ側、枠体部１３が上着１側となるようスペーサ１０Ａは上着１に装着されてもよい。
【００２６】
図４（ａ）は通気性部材１０の人体側となる面が通気性シート３０によって覆われた状態を表す概略図である。図４（ａ）に示すように通気性部材１０の人体側となる面は通気性シート３０によって覆われていることが好ましく、通気性部材１０の上着１側となる面も通気性シート３０によって覆われていることがより好ましい。通気性部材１０としてスペーサ１０Ａを使用する場合には、スペーサ１０Ａの枠体部１３が人体側となるようスペーサ１０Ａは上着１に装着されるため、少なくともスペーサ１０Ａの枠体部１３側が通気性シート３０によって覆われることが好ましい。通気性シート３０によって通気性部材１０の人体側となる面を覆うことにより、上着１を着用したときに、通気性部材１０が人体に接触した際の不快感を抑えることができると共に、通気性部材１０の破損や汚れを防止することができる。なお、通気性シート３０は、通気性部材１０に保持されていてもよく、あるいは、上着１に保持され通気性部材１０の人体側の面を覆うようにしてもよい。通気性シート３０は、通気性部材１０または上着１に、保持部材２０によって着脱可能に保持されていることが好ましい。これにより、通気性シート３０が汚れた場合や破損した場合などに取り替えが容易となる。
【００２７】
図４（ｂ）は通気性シート３０によって形成された袋４０の表側を表す概略図である。図４（ｂ）に示すように、通気性部材１０は、通気性シート３０によって形成された袋４０内に収容するようにしてもよい。袋４０には通気性部材１０を出し入れするための開口４１が設けられていてもよく、この開口４１は開閉可能となっていてもよい。本実施形態において、袋４０は、上端部に開口４１が形成された袋本体４２と、袋本体４２の上端部から延出するフラップ蓋４３とからなる。袋本体４２およびフラップ蓋４３の表側の面（開口４１側の面）には、それぞれ保持部材２０が取り付けられている。フラップ蓋４３を折り曲げ、フラップ蓋４３の保持部材２０を袋本体４２の保持部材２０に取り付けることにより、開口４１は閉じられる。なお、フラップ蓋４３を設けず袋本体４２に設けられた開口４１にジッパーのようなスライドファスナーを取り付けることによって開閉可能とすることもできる。
【００２８】
図４（ｃ）は袋４０の裏側を表す概略図である。通気性シート３０によって形成された袋４０は、上着１と一体となっていてもよく、あるいは上着１に着脱可能に保持されていてもよい。図４（ｃ）に示すように袋本体４２の裏面に保持部材２０を取り付け、袋本体４２の保持部材２０を上着１の肩部３ａおよび襟元部３ｂの保持部材２０に取り付けることにより、袋４０が上着１に着脱可能に保持されるようにしてもよい。袋４０が上着１に着脱可能に保持されていることにより、袋４０が汚れた場合や破損した場合などに取り替えが容易となる。
【００２９】
なお、通気性シート３０としては、例えばメッシュシートなどが挙げられるが、これに限定されない。
【００３０】
図５は通気性部材１０が後身頃３の内面の背中部３ｃにポケット状に形成され保持されている状態を表す概略図である。通気性部材１０によって形成されたポケット５０が、後身頃３の内面の背中部３ｃに保持されている。通気性部材１０の上端部１０ａは後身頃３の背中部３ｃに取り付けられておらず、一方、通気性部材１０の両端部（１０ｂ、１０ｃ）および下端部１０ｄは後身頃３の背中部３ｃに保持部材２０によって着脱可能に保持されている。これにより、上部に開口５１を有し、後身頃３の背中部３ｃに着脱可能に保持されたポケット５０が形成される。ポケット５０には、例えば不凍ゲル製の冷却材や水分を含ませた布のような冷却材６０などを収容することができる。
【００３１】
図６（ａ）は、通気性部材１０の上端部１０ａが上着１に取り付けられ、通気性部材１０の下端部１０ｄは上着１の端部からはみ出るようにした状態を表す概略図である。通気性部材１０は、後身頃３の裾部３ｄ（下端部）からはみ出た延出部１０ｅを有している。通気性部材１０の下端部１０ｄが後身頃３の裾部３ｄからはみ出ていることにより、上着１内から上着１外へと通じる空気の流通路が形成され、上着１内の空気が上着１外へ排出されやすくなる。その結果、上着１内の空気の循環がよくなり、汗なども乾きやすく、かつ、蒸れも防止することができる。
【００３２】
図６（ｂ）は、通気性部材１０の延出部１０ｅをズボンの中に入れた状態を表す概略図である。延出部１０ｅは上着１と一緒に着用している例えばズボン７０のような他の衣服内に収容可能な長さを有していることが好ましい。そして、延出部１０ｅをズボン７０内に収容することにより、上着１内の空気が、通気性部材１０を通ってズボン７０内へと流れる。これにより、ズボン７０内の蒸れも防止することができる。
【００３３】
図７（ａ）は通気性部材１０から構成されるポケット５０が後身頃３の内面の背中部３ｃに保持されている状態を表す概略図である。本実施形態では、ポケット５０を構成する通気性部材１０の上端部１０ａと下端部１０ｄとの間の長さは、下端部１０ｄと後身頃３の裾部３ｄとの間の長さよりも長く形成されている。
【００３４】
図７（ｂ）は通気性部材１０の両端部（１０ｂ、１０ｃ）を後身頃３から取り外し、通気性部材１０を下方へ折り返した状態を表す概略図である。前記の通り、ポケット５０は、通気性部材１０の両端部（１０ｂ、１０ｃ）を後身頃３の背中部３ｃに保持部材２０によって着脱可能に保持することにより構成されている。図７（ｂ）に示すように、通気性部材１０の両端部（１０ｂ、１０ｃ）を後身頃３から取り外し、下端部１０ｄを中心として下方へ折り返すことにより、通気性部材１０の一部が後身頃３の裾部３ｄから延出する。これにより、後身頃３の裾部３ｄから延出する通気性部材１０の延出部１０ｅが形成される。このような構成により、必要に応じて、ポケット５０を冷却材６０を入れるなどして使用したり、あるいは通気性部材１０の両端部（１０ｂ、１０ｃ）を後身頃３から取り外して延出部１０ｅを形成させたりすることができる。
【００３５】
なお、通気性部材１０の下端部１０ｄは、後身頃３の内面に例えば縫着するなどして着脱不可能に取り付けられていてもよく、このような構成により、通気性部材１０の下端部１０ｄを中心として通気性部材１０を下方へ折り返した際に、通気性部材１０が上着１から外れることがない。
【００３６】
上記では、上着１の裾部３ｄから延出する延出部１０ｅを形成する方法について説明したが、延出部１０ｅは上着１の裾部３ｄに限らず、上着１の袖口や襟口など上着１の端部から延出するようにすることもできる。例えば、通気性部材１０の上端部１０ａと下端部１０ｄとが保持部材２０によって後身頃３の襟元部３ｂに取り付けられており、必要に応じて通気性部材１０の下端部１０ｄを後身頃３から取り外し、上端部１０ａを中心として上方へ折り返すことにより、通気性部材１０が上着１の襟部４からはみ出た延出部１０ｅを有するようにしてもよい。
【００３７】
本発明の上着１では、上着１に保持された通気性部材１０によって上着１と人体との接触が防止されると共に上着１と人体との間に空気の流通路が形成され、上着１内の蒸れを防止することができる。通気性部材１０が肩部３ａや襟元部３ｂなど、上着１と人体とが密着する箇所に保持されていることにより上着１と人体との間に空気の流通路が形成され、その結果、上着１内に取り込まれた空気がその密着箇所で滞留することなくなり、上着１内の空気の流通性が向上する。
【００３８】
本発明の上着１を着用して例えば自転車に乗って走行した場合には、上着１の裾部と人体との間や上着１の襟部４と人体との間などから空気が上着１内に取り込まれ、その空気は通気性部材１０内を通り、上着１の裾部と人体との間や上着１の襟部４と人体との間などから上着１外へ排出される。上着１内に流入した空気により、人体が冷却されると共に汗がすばやく乾き、また、上着１内の湿った空気が上着１外へ排出され、これにより上着１内を快適な環境とすることができる。
【００３９】
＜通気性部材の他実施形態＞
図８（ａ）〜（ｄ）は通気性部材１０の他例であるメッシュ部材８０を示す図である。図８（ａ）はメッシュ部材８０の平面図、図８（ｂ）はメッシュ部材８０の正面図、図８（ｃ）は（ａ）のＶＩＩＩｃ−ＶＩＩＩｃ矢視断面図、図８（ｄ）は（ａ）のＶＩＩＩｄ部分拡大斜視図である。
【００４０】
通気性部材１０は、図８に示す、所定の厚みＬ２を有するメッシュ部材８０により構成されていてもよい。メッシュ部材８０には、その表面８１（８１ａ、８１ｂ）に複数の開口部８２が設けられていると共に、端面８３にも開口部８４が設けられている。さらに、メッシュ部材８０の内部にも複数の開口部８５が設けられており、開口部８２、開口部８４および開口部８５は互いに連通している。そして、開口部８２、開口部８４および開口部８５は空気の流通路を成している。メッシュ部材８０は一方の表面８１ａが上着１側となり、他方の表面８１ｂが人体側となるよう上着１に装着される。
【００４１】
メッシュ部材８０に設けられた開口部８２、開口部８４および開口部８５の大きさは、メッシュ部材８０内を空気が流通可能である程度の大きさであればよい。また、メッシュ部材８０の厚みＬ２は、上着１と人体とが接触することを防止すると共にメッシュ部材８０内を空気が流通可能である程度の大きさであればよく、間隔Ｌ２は一例として約３ｍｍ〜約１５ｍｍである。
【００４２】
＜上着の他実施形態＞
上着１の他実施形態である上着１００について説明する。なお、上記実施形態と同一の部材については同一の符号を使用し、その説明を省略する。また、上記実施形態で説明した特徴は、上着１００に対しても適宜利用可能である。
【００４３】
図９（ａ）は上着１の他実施形態である上着１００の内面を示す概略図である。上着１００は、後身頃３に、空気取込口１０１と、空気取込口１０１に取り付けられ、空気取込口１０１から空気を取り込み、上着１００内に空気を流通させる送風装置１０２と、送風装置１０２を駆動させる駆動装置（不図示）とを備えている。送風装置１０２としては例えばファンが使用され、駆動装置としては例えばファンを回転させるモータと、モータを駆動させる携帯型バッテリとが使用される。上着１００の肩部３ａおよび襟元部３ｂには、通気性部材１０が着脱可能に保持されている。
【００４４】
図９（ｂ）はスペーサ１０Ａが取り付けられた上着１００を、下着Ｕを着用した人体Ｂの上から着用した状態を表す概略断面図である。図９（ｂ）では空気の流れを矢印で模式的に表している。上着１００では、送風装置１０２を駆動すると強制的に空気取込口１０１から空気が上着１００内に取り込まれ、その空気が上着１００と人体との間を流通する。そして、その空気は、通気性ピース１１の開口部１５、開口部１６、開口部１８および／または空間１９からスペーサ１０Ａ内に流入する。スペーサ１０Ａに流入した空気の一部は、開口部１５や開口部１８を通って人体側に流れる。そしてスペーサ１０Ａの空気は、開口部１５、開口部１６、開口部１８および／または空間１９からスペーサ１０Ａ外へ排出される。上着１内に流入した空気の一部が人体に向けて流れることにより、人体を冷却すると共に汗をすばやく乾かすことができる。スペーサ１０Ａ（通気性部材１０）が、肩部３ａや襟元部３ｂなど上着１００と人体とが密着する箇所に保持されていることにより、上着１００内に取り込まれた空気がその密着箇所で滞留することなくなり、上着１内における空気の流通性が向上する。
【００４５】
なお、上着１および上着１００において通気性部材１０を取り付ける位置は、後身頃３の内面に限らず、襟部４の内面や袖部５の内面などであってもよい。また、上着１および上着１００は、袖部５がないベストタイプであってもよい。
【００４６】
＜衣服の他実施形態＞
衣服の他実施形態として、ズボン２００を例に説明する。図１０はズボンの内面（内側）を表す概略図である。なお、上記実施形態と同一の部材については同一の符号を使用し、その説明を省略する。また、上記実施形態で説明した特徴は、ズボン２００に対しても適宜利用可能である。
【００４７】
ズボン２００は、一対の脚部２０１と、脚部２０１と一体的に接続されているウエスト部２０２とを備えている。脚部２０１およびウエスト部２０２は、外面および着用時に人体側となる内面をそれぞれ備えている。ウエスト部２０２の内面の腰部２０２ａには、通気性部材１０が保持部材２０によって着脱可能に保持されている。ズボン２００に保持された通気性部材１０によってズボン２００と人体との接触が防止されると共に、ズボン２００内に取り入れられた空気が通気性部材１０内を流通する。これにより、ズボン２００内の蒸れを防止することができる。通気性部材１０が腰部２０２ａなどズボン２００と人体とが密着する箇所に保持されていることにより、ズボン２００内に取り込まれた空気がその密着箇所で滞留することなくなり、ズボン２００内の空気の流通性が向上する。
【００４８】
なお、ズボン２００において、通気性部材１０を取り付ける位置は、ウエスト部２０２の内面に限らず、脚部２０１の内面であってもよい。
【００４９】
上記では衣服として上着１および上着１００並びにズボン２００について説明したが、本発明の衣服はこれらに限定されず、その他の衣服であってもよい。
【符号の説明】
【００５０】
１            上着（衣服）
２            前身頃
３            後身頃
４            襟部
５            袖部
１０          通気性部材
１０Ａ        スペーサ
１１          通気性ピース
１２          壁部
１３          枠体部
１４          柱状部
１５          開口部
１６          開口部
１７          連結部
１８          開口部
１９          空間
２０          保持部材
３０          通気性シート
４０          袋
４１          開口
４２          袋本体
４３          フラップ蓋
５０          ポケット
５１          開口
６０          冷却材
７０          ズボン（別の衣服）
８０          メッシュ部材
８２          開口部
８４          開口部
８５          開口部
１００        上着
１０１        空気取込口
１０２        送風装置
２００        ズボン（衣服）
２０１        脚部
２０２        ウエスト部
【図１】
0005970087.tif 000002
【図２】
0005970087.tif 000003
【図３】
0005970087.tif 000004
【図４】
0005970087.tif 000005
【図５】
0005970087.tif 000006
【図６】
0005970087.tif 000007
【図７】
0005970087.tif 000008
【図８】
0005970087.tif 000009
【図９】
0005970087.tif 000010
【図１０】
0005970087.tif 000011